(57)【要約】      （修正有）【課題】地震などの停電後の復電時、人手等により始動スイッチのＯＮの操作を行ったあとに電気器具に電源を供給する安全で安価に構成された電源保持タップを提供する。【解決手段】電源プラグ１とコンセント４の間に継電器のａ接点（以後ａ接点と記載）２を接続し、ａ接点のコンセント４側にａ接点を開閉するための継電器３を接続し、ａ接点と並列に継電器をＯＮにするための始動スイッチ５を接続する。【選択図】図１
0003209126.tif 000002
【実用新案登録請求の範囲】
【請求項１】
電源プラグ（１）とコンセント（４）の間に継電器のａ接点（以後ａ接点と記載）（２）を接続し、ａ接点（２）のコンセント（４）側にａ接点（２）を開閉するための継電器（３）を接続し、ａ接点（２）と並列に始動スイッチ（５）を接続した電気器具に電源を供給する電源保持タップ。
【請求項２】
継電器の代用として半導体素子等と始動スイッチ等を組み合わせた請求項１の電気器具に電源を供給する電源保持タップ。
【請求項３】
電気器具に請求項１、または、請求項２の回路を組み込んだ電気器具。
【考案の詳細な説明】
【技術分野】
【０００１】  この考案は、たとえば、地震による停電の場合、復電時に火災等の二次災害が発生することが予想されるため、それを防止するための器具で、壁面等に設置されたコンセントに差し込んだあと、手動等により始動スイッチを一時的にＯＮにすることにより電気器具に電源を供給する電源保持タップに関するものである。
【背景技術】
【０００２】  従来、電気器具を稼働させるには、電気器具のプラグを壁面等に設置されたコンセントに直接、または、テーブルタップ等を経由して電源を供給していた。
通常のコンセントでは、復電と同時に負荷側に電力を供給するため、地震による停電の場合、復電時に火災等の二次災害が発生することが予想される。
【先行技術文献】
【特許文献】
【０００３】
【特許文献１】  特開２０１０−４９８３２号公報
【考案の概要】
【考案が解決しようとする課題】
【０００４】  従来のタップには次のような欠点があった。
電気器具を使用するには、壁面等に設置されたコンセントに電気器具のプラグを直接、または、タップ等を経由して接続し、壁面などのコンセントから電源の供給を受けている。
電気器具のスイッチがＯＮの状態であった場合、電気器具は直ちに運転するため、危険な場合があった。【０００５】  地震等で停電が発生した場合、使用中の電気器具はスイッチＯＮの状態であっても停止するため、電気器具のスイッチがＯＮの状態で避難することが考えられる。
避難中に、復電により、たとえば、暖房器具などで、火災が発生したことがあった。
本考案は以上の問題点を解決するためになされたものである。
【課題を解決するための手段】
【０００６】  電源プラグ（１）とコンセント（４）の間に継電器のａ接点（以後ａ接点と記載）（２）を接続し、ａ接点（２）のコンセント（４）側にａ接点（２）を開閉するための継電器（３）を接続し、ａ接点（２）と並列に始動スイッチ（５）を接続した電気器具に電源を供給する電源保持タップである。【０００７】  第２の課題の解決手段は、継電器の代わりに、半導体スイッチ（ＳＳＲ）の後方にトリガー回路を設け、そのトリガー回路によりＳＳＲをＯＮにさせるコンセント電源保持タップ。
【考案の効果】
【０００８】（イ）地震発生などにより停電が発生したとき、使用中の電気器具は動作を停止できる。
（ロ）地震等による停電後に復電した場合、電気器具のスイッチがＯＮの状態でも始動ス    イッチ（５）を手動等によりＯＮにするまで電気器具に電源を供給しないため、安全    である。
（ハ）初めて使用時、および、停電後の復電の際、始動スイッチ（５）を手動等により、    ＯＮにするまでコンセント（４）に電源は供給されないため安全である。
（ニ）外出のときなどは、分電箱の主ブレーカを開閉することにより、本考案品に接続さ    れている電気器具は停止するため電気器具の状態確認に便利である。
【図面の簡単な説明】
【０００９】
【図１】  本考案の実施例を示した接続図である。
【図２】  本考案の他の実施例を示した接続図である。
【図３】  本考案の実施例を示した外観の説明図である。
【図４】  本考案の他の実施例を示した外観の説明図である。
【考案を実施するための形態】
【００１０】  以下、本考案の実施の形態を説明する。
電源プラグ（１）の片側とコンセント（４）の片方の間に継電器のａ接点（以後ａ接点と記載）（２）を接続し、ａ接点（２）のコンセント（４）側にａ接点（２）を開閉するための継電器（３）の片側を接続する。
ａ接点（２）と並列に継電器（３）を一時的にＯＮにするための始動スイッチ（５）を接続する。
電源プラグ（１）の他方と継電器（３）の他方、および、コンセント（４）の他方を接続する。
電源プラグ（１）を壁面等のコンセントに接続しただけでは接点（２）は開の状態であるため継電器（３）はＯＮにならない。
従って、コンセント（４）には電源は供給されない。
接点（２）と並列に接続された始動スイッチ（５）を一時的にＯＮにすると電源プラグ（１）から始動スイッチ（５）を経由して継電器（３）に電源が供給され継電器（３）はＯＮになるため、接点（２）は閉になり電源プラグ（１）から接点（２）を経由して継電器（３）に電源が供給される。
その後、始動スイッチ（５）をＯＦＦにしても継電器（３）は継続してＯＮの状態を維持しコンセント（４）には継続して電源が供給される。
図２は、本考案を他の手段で実施した説明図である。
図３、図４は、本考案をそれぞれのケースに収納した状態を示した説明図である。
本考案は、停電が発生し、その後、復電したときに負荷側には通電されず、使用者がコンセントに設置された始動用スイッチを押すことにより負荷に電力を供給する電源保持タップである。
最初に使用するときは、始動用スイッチを押すことで使用できる。
また、停電がない場合は通常のコンセントと同じように操作なしで使用できる。
【符号の説明】
【００１１】１  電源プラグ
２  ａ接点
３  継電器
４  コンセント
５  始動スイッチ
【図１】
0003209126.tif 000003
【図２】
0003209126.tif 000004
【図３】
0003209126.tif 000005
【図４】
0003209126.tif 000006
【手続補正書】
【提出日】平成28年9月6日(2016.9.6)
【手続補正１】
【補正対象書類名】実用新案登録請求の範囲
【補正対象項目名】請求項２
【補正方法】変更
【補正の内容】
【請求項２】
電源プラグ（１）とコンセント（４）の間に半導体スイッチ（以後ＳＳＲと記載）（２）を接続し、ＳＳＲ（２）のコンセント（４）側にＳＳＲをＯＮ−ＯＦＦするためのトリガー回路（３）を接続しＳＳＲと並列に始動スイッチ（５）を接続した電源保持タップ。
【手続補正２】
【補正対象書類名】実用新案登録請求の範囲
【補正対象項目名】請求項３
【補正方法】変更
【補正の内容】
【請求項３】
電気器具に請求項１、又は請求項２の機能を組み込み、停電後の復電時に始動スイッチを押すまで動作しない電気器具。
【手続補正書】
【提出日】平成28年12月7日(2016.12.7)
【手続補正１】
【補正対象書類名】実用新案登録請求の範囲
【補正対象項目名】請求項３
【補正方法】変更
【補正の内容】
【請求項３】
電源プラグ（１）とコンセント（４）の間に継電器のａ接点（２）又はＳＳＲ（２）を接続し、ａ接点（２）又はＳＳＲ（２）のコンセント（４）側にａ接点（２）を開閉するための継電器（３）又はＳＳＲをＯＮさせるためのトリガー回路（３）を接続し、ａ接点（２）又はＳＳＲ（２）と並列に始動スイッチ（５）を接続した回路を組込み、停電後の復電時に始動スイッチを押すまで動作しない電気器具。